(57)【特許請求の範囲】
【請求項１】
電力供給源から電力を送電するための幹線ケーブルと、前記幹線ケーブルから分岐されて電力を需要家宅へ送電するための引込線ケーブルと、を接続するための分岐箱が損傷した場合に前記幹線ケーブルと前記引込線ケーブルとを一時的に仮接続するための仮接続装置であって、
前記幹線ケーブルが挿入されて接続される第１の圧縮端子板と、
複数の前記引込線ケーブルがそれぞれ挿入されて接続される複数の第２の圧縮端子板と、
前記第１の圧縮端子板がネジ端子を介して接続されて固定されるとともに前記複数の第２の圧縮端子板のそれぞれがネジ端子を介して接続されて固定される導通部材とを備え、
前記導通部材は、前記第１の圧縮端子板と、前記複数の第２の圧縮端子板と、が固定された状態で前記分岐箱が設置されていた場所に仮設置可能である、
ことを特徴とする仮接続装置。
【請求項２】
電力供給源から電力を送電するための幹線ケーブルと、前記幹線ケーブルから分岐されて電力を需要家宅へ送電するための引込線ケーブルと、を接続するための分岐箱が損傷した場合に前記幹線ケーブルと前記引込線ケーブルとを一時的に仮接続するための仮接続装置であって、
前記幹線ケーブルと前記引込線ケーブルとを導通させて固定するための導通部材と、
前記導通部材を収容するための筐体と、を備え、
前記筐体は、前記幹線ケーブルを挿入するための第１の接続孔と、複数の前記引込線ケーブルを挿入するための複数の第２の接続孔とが設けられ、前記幹線ケーブルが前記第１の接続孔に挿入されて前記導通部材に固定され、前記引込線ケーブルが前記第２の接続孔に挿入されて前記導通部材に固定された状態で前記分岐箱が設置されていた場所に仮設置可能である、
ことを特徴とする仮接続装置。
【請求項３】
電力供給源から電力を送電するための幹線ケーブルと、前記幹線ケーブルから分岐されて電力を需要家宅へ送電するための引込線ケーブルと、を接続するための分岐箱が損傷した場合に前記幹線ケーブルと前記引込線ケーブルとを一時的に仮接続するための仮接続方法であって、
端子孔が形成されているとともに前記幹線ケーブルが接続される第１の圧縮端子板を、端子部が形成されている導通部材に、前記端子孔に前記端子部を挿入してネジ端子で締め付けることにより、前記幹線ケーブルを前記導通部材に固定する第１工程と、
端子孔が形成されているとともに前記引込線ケーブルが接続される第２の圧縮端子を、前記導通部材に、前記端子孔に前記端子部を挿入してネジ端子で締め付けることにより、複数の前記引込線ケーブルをそれぞれ前記導通部材に固定して、前記幹線ケーブルと前記複数の前記引込線ケーブルとを導通させる第２工程と、
前記幹線ケーブルと前記複数の前記引込線ケーブルとが固定された状態で、前記導通部材を前記分岐箱が設置されていた場所に仮設置する第３工程と、
を備えたことを特徴とする仮接続方法。
【発明の詳細な説明】
【技術分野】
【０００１】
この発明は、幹線ケーブルと引込線ケーブルとを接続するための分岐箱が損傷した場合に、幹線ケーブルと引込線ケーブルとを一時的に仮接続するための仮接続装置及び仮接続方法に関する。
【背景技術】
【０００２】
近年、電力会社等の電力供給源から電力を送電するための幹線ケーブルと、幹線ケーブルから分岐されて電力を需要家宅へ送電するための引込線ケーブルとの接続及び分岐は、地中化工事の増加により、地中に設置されているハンドホール内に設けられた分岐箱にて行われることが多くなっている。
【０００３】
このような分岐箱が自然災害や自動車の衝突等により損傷した場合、分岐箱の修理が迅速に行えない場合もあるため、幹線ケーブルに接続された圧縮端子板と、引込線ケーブルに接続された圧縮端子板とを直接ボルトで仮接続し、ハンドホール内に仮設置していた。しかしながら、このような仮接続は、分岐箱に接続されていた引込線ケーブルが１本のみであれば問題なく行うことが可能であるが、２本以上接続されていた場合、幹線ケーブルに接続された圧縮端子板を２枚以上の圧縮端子板に直接接続することは出来ない構造になっていた。
【０００４】
ところで、地中配線ケーブルの幹線を地上に分岐させ、複数の引込線に分岐する低圧分岐装置が知られている（例えば、特許文献１参照。）。この低圧分岐装置は、必要に応じてヒューズが配置され、家屋等の壁面に固定されて使用される分岐ボックスである。
【先行技術文献】
【特許文献】
【０００５】
【特許文献１】特開２００６−１０１５８２号公報
【発明の概要】
【発明が解決しようとする課題】
【０００６】
しかしながら、特許文献１に記載の低圧分岐装置は、地中配線ケーブルの幹線を地上に分岐させて複数の引込線に分岐するための装置であり、通常の引込線への分岐接続に使用される装置である。そのため、上記のような仮接続のように簡易な接続には使用できないものである。
【０００７】
そこでこの発明は、幹線ケーブルと複数の引込線ケーブルとを簡易に接続することで、仮接続を行うことを可能にする仮接続装置及び仮接続方法を提供することを目的とする。
【課題を解決するための手段】
【０００８】
上記課題を解決するために、請求項１の発明は、電力供給源から電力を送電するための幹線ケーブルと、前記幹線ケーブルから分岐されて電力を需要家宅へ送電するための引込線ケーブルと、を接続するための分岐箱が損傷した場合に前記幹線ケーブルと前記引込線ケーブルとを一時的に仮接続するための仮接続装置であって、前記幹線ケーブルが挿入されて接続される第１の圧縮端子板と、複数の前記引込線ケーブルがそれぞれ挿入されて接続される複数の第２の圧縮端子板と、前記第１の圧縮端子板がネジ端子を介して接続されて固定されるとともに前記複数の第２の圧縮端子板のそれぞれがネジ端子を介して接続されて固定される導通部材とを備え、前記導通部材は、前記第１の圧縮端子板と、前記複数の第２の圧縮端子板と、が固定された状態で前記分岐箱が設置されていた場所に仮設置可能である、ことを特徴とする。
【０００９】
請求項２の発明は、電力供給源から電力を送電するための幹線ケーブルと、前記幹線ケーブルから分岐されて電力を需要家宅へ送電するための引込線ケーブルと、を接続するための分岐箱が損傷した場合に前記幹線ケーブルと前記引込線ケーブルとを一時的に仮接続するための仮接続装置であって、前記幹線ケーブルと前記引込線ケーブルとを導通させて固定するための導通部材と、前記導通部材を収容するための筐体と、を備え、前記筐体は、前記幹線ケーブルを挿入するための第１の接続孔と、複数の前記引込線ケーブルを挿入するための複数の第２の接続孔とが設けられ、前記幹線ケーブルが前記第１の接続孔に挿入されて前記導通部材に固定され、前記引込線ケーブルが前記第２の接続孔に挿入されて前記導通部材に固定された状態で前記分岐箱が設置されていた場所に仮設置可能である、ことを特徴とする。
【００１０】
請求項３の発明は、電力供給源から電力を送電するための幹線ケーブルと、前記幹線ケーブルから分岐されて電力を需要家宅へ送電するための引込線ケーブルと、を接続するための分岐箱が損傷した場合に前記幹線ケーブルと前記引込線ケーブルとを一時的に仮接続するための仮接続方法であって、端子孔が形成されているとともに前記幹線ケーブルが接続される第１の圧縮端子板を、端子部が形成されている導通部材に、前記端子孔に前記端子部を挿入してネジ端子で締め付けることにより、前記幹線ケーブルを前記導通部材に固定する第１工程と、端子孔が形成されているとともに前記引込線ケーブルが接続される第２の圧縮端子を、前記導通部材に、前記端子孔に前記端子部を挿入してネジ端子で締め付けることにより、複数の前記引込線ケーブルをそれぞれ前記導通部材に固定して、前記幹線ケーブルと前記複数の前記引込線ケーブルとを導通させる第２工程と、前記幹線ケーブルと前記複数の前記引込線ケーブルとが固定された状態で、前記導通部材を前記分岐箱が設置されていた場所に仮設置する第３工程と、を備えたことを特徴とする。
【発明の効果】
【００１１】
請求項１の発明によれば、この仮接続装置は、幹線ケーブルが挿入されて接続される第１の圧縮端子板と、複数の引込線ケーブルがそれぞれ挿入されて接続される複数の第２の圧縮端子板と、第１の圧縮端子板がネジ端子を介して接続されて固定されるとともに複数の第２の圧縮端子板のそれぞれがネジ端子を介して接続されて固定される導通部材とを備えたため、第１の圧縮端子板と複数の第２の圧縮端子板とを簡易に接続することが可能になる。そのため、幹線ケーブルと複数の引込線ケーブルとを簡易に接続することが出来る。
【００１２】
請求項２の発明によれば、幹線ケーブルと引込線ケーブルとを導通させて固定するための導通部材と、導通部材を収容するための筐体を備え、その筐体には、幹線ケーブルを挿入するための第１の接続孔と、複数の引込線ケーブルを挿入するための複数の第２の接続孔とが設けられたため、幹線ケーブル及び引込線ケーブルに圧縮端子板が接続されていない場合や損傷した場合であっても、幹線ケーブルと複数の引込線ケーブルとを簡易に接続することが可能になる。
【００１３】
請求項３の発明によれば、幹線ケーブルを導通部材に固定する第１工程と、複数の引込線ケーブルをそれぞれ導通部材に固定して、幹線ケーブルと複数の引込線ケーブルとを導通させる第２工程と、幹線ケーブルと複数の引込線ケーブルとが固定された状態で導通部材を仮設置する第３工程とを備えたため、幹線ケーブルと複数の引込線ケーブルとを簡易に接続することが可能になる。
【図面の簡単な説明】
【００１４】
【図１】この発明の実施の形態１に係る仮接続装置１の概略を示す平面図である。
【図２】図１の圧縮端子板２の概略を示す平面図である。
【図３】図１の導通部材４を示す斜視図である。
【図４】図１の仮接続装置１に幹線ケーブル６及び引込線ケーブル７が接続された状態を示す平面図である。
【図５】この発明の実施の形態２に係る仮接続装置１Ａの概略を示す平面図である。された状態を示す拡大断面図である。
【発明を実施するための形態】
【００１５】
以下、この発明を図示の実施の形態に基づいて説明する。
【００１６】
（実施の形態１）
図１ないし図３は、この発明の実施の形態１に係る仮接続装置１を示している。図１は、仮接続装置１の概略を示す平面図であり、図２は、図１の圧縮端子板２の概略を示す平面図であり、図３は、図１の導通部材４を示す斜視図である。この仮接続装置１は、電力供給源から電力を送電するための幹線ケーブル６と、幹線ケーブル６から分岐されて電力を需要家宅へ送電するための引込線ケーブル７と、を接続するための低圧分岐箱（分岐箱）が損傷した場合、幹線ケーブル６と引込線ケーブル７とを一時的に仮接続するための装置であり、図１に示すように、主として圧縮端子板（第１の圧縮端子板）２と、圧縮端子板（第２の圧縮端子板）３とを接続するための導通部材４により構成され、圧縮端子板２及び圧縮端子板３がネジ端子５により導通部材４に固定されている。
【００１７】
圧縮端子板２は、幹線ケーブル６の一端に接続され、低圧分岐箱の中に設けられた端子台に接続するための器具であり、この発明の実施の形態１では、導通部材４に固定される器具として使用されるものである。この圧縮端子板２は、図１及び図２に示すように、主として幹線ケーブル接続部２１と、端子接続部２２とにより構成されている。
【００１８】
幹線ケーブル接続部２１は、幹線ケーブル６の一端が挿入される部材であり、幹線ケーブル６が挿入可能な太さの略円筒型に形成されている。端子接続部２２は、低圧分岐箱の中に設けられた端子台及び導通部材４に載置されて固定するための部材であり、略長方形の板状に形成されている。この端子接続部２２には、ネジ端子５を貫通する２つの端子孔２３が形成されている。幹線ケーブル接続部２１及び端子接続部２２は、例えば、鋼材等の導電性素材により形成されている。
【００１９】
圧縮端子板３は、引込線ケーブル７の一端に接続され、低圧分岐箱の中に設けられた端子台に接続するための器具であり、この発明の実施の形態１では、導通部材４に固定される器具として使用されるものである。この圧縮端子板３は、圧縮端子板２と略同様の形状であり、図１に示すように、主として引込線ケーブル接続部３１と、端子接続部３２とにより構成されている。
【００２０】
引込線ケーブル接続部３１は、引込線ケーブル７の一端が挿入される部材であり、引込線ケーブル７が挿入可能な太さの略円筒型に形成されている。端子接続部３２は、低圧分岐箱の中に設けられた端子台及び導通部材４に載置されて固定するための部材であり、略長方形の板状に形成されている。この端子接続部３２には、ネジ端子５を貫通する２つの端子孔３３が形成されている。引込線ケーブル接続部３１及び端子接続部３２は、例えば、鋼材等の導電性素材により形成されている。
【００２１】
導通部材４は、端子接続部２２及び端子接続部３２が載置されて固定され、幹線ケーブル６と引込線ケーブル７とを導通させるための器具であり、低圧分岐箱に収容可能な大きさに形成されている。この導通部材４は、図１及び図３に示すように、主として基台部４１と、端子部４２とにより構成されている。
【００２２】
基台部４１は、端子接続部２２及び端子接続部３２が載置される箇所であり、略長方形の板状に形成されている。端子部４２は、端子孔２３及び端子孔３３が貫通されてネジ端子５により螺合されて固定するための端子であり、基台部４１の上面に略円柱形に、例えば６本形成されている。基台部４１及び端子部４２は、例えば、鋼材等の導電性素材により形成されている。
【００２３】
ネジ端子５は、端子部４２が挿入されて端子接続部２２及び端子接続部３２を固定するための部材であり、端子部４２が挿入され、端子孔２３及び端子孔３３に螺合して締め付けられるように円筒型のネジ状に形成されている。
【００２４】
次に、このような仮接続装置１の使用例等について、以下に説明する。
【００２５】
例えば、幹線ケーブル６が接続された圧縮端子板２と、５本の引込線ケーブル７が接続された５つの圧縮端子板３が接続されていた低圧分岐箱が、自然災害等により損傷して引込線ケーブル７が接続されている需要家宅への送電が停止されたので、送電を復旧する必要がある場合について説明する。まず、図３に示す導通部材４の右側２本の端子部４２に対して、端子接続部２２の２つの端子孔２３を挿入させる（第１工程）。次に、導通部材４の右側２本の端子部４２に対して、１つの端子接続部３２の端子孔３３を挿入させる（第２工程）。このとき、右側２本の端子部４２に挿入させる端子接続部２２及び端子接続部３２は、幹線ケーブル接続部２１と引込線ケーブル接続部３１とが接触しないように、互いに対向するように挿入する。同様に、導通部材４の中央部２本の端子部４２に対して、２つの端子接続部３２の端子孔３３を対向するように挿入させ、導通部材４の左側２本の端子部４２に対して、２つの端子接続部３２の端子孔３３を対向するように挿入させる（第２工程）。ネジ端子５を端子部４２に挿入し、端子孔２３及び端子孔３３に螺合されるように締め付け、図４に示すような状態にする。
【００２６】
その後、幹線ケーブル６と５本の引込線ケーブル７とが接続された状態の仮接続装置１を、低圧分岐箱が設置されていた場所に仮設置する（第３工程）。これにより、５本の引込線ケーブル７が接続されている需要家宅への送電が再開される。
【００２７】
このように、この仮接続装置１によれば、幹線ケーブル６が接続された圧縮端子板２と、５本の引込線ケーブル７が接続された５つの圧縮端子板３とを接続して固定する導通部材４を備え、ネジ端子５により固定できるように構成したため、圧縮端子板２と５つの圧縮端子板３とを簡易に接続することが可能になる。そのため、幹線ケーブル６と５本の引込線ケーブル７とを簡易に接続することが出来る。
【００２８】
（実施の形態２）
図５は、この発明の実施の形態２に係る仮接続装置１Ａの概略を示す平面図である。この仮接続装置１Ａは、発明の実施の形態１に係る仮接続装置１と比較すると、圧縮端子板２に替えて幹線ケーブル挿入穴（第１の接続孔）２Ａを備え、圧縮端子板３に替えて、例えば５つの引込線ケーブル挿入穴（第２の接続孔）３Ａを備え、導通部材４に替えて導通部材４Ａを備え、導通部材４Ａが筐体１０に収容されており、幹線ケーブル挿入穴２Ａ、引込線ケーブル挿入穴３Ａが筐体１０の側面に形成されている点において、発明の実施の形態１と異なる。
【００２９】
幹線ケーブル挿入穴２Ａは、幹線ケーブル６を挿入するための孔であり、筐体１０に形成された幹線ケーブル６を挿入するための挿入穴２４から略円筒状に形成されて幹線ケーブル６を奥まで挿入可能に設けられている。引込線ケーブル挿入穴３Ａは、引込線ケーブル７を挿入するための孔であり、筐体１０に形成された引込線ケーブル７を挿入するための挿入穴３４から略円筒状に形成されて引込線ケーブル７を奥まで挿入可能に設けられている。導通部材４Ａは、幹線ケーブル挿入穴２Ａに挿入された幹線ケーブル６と、引込線ケーブル挿入穴３Ａに挿入された引込線ケーブル７とを導通させて固定するための部材であり、金属等により略長方形の板状に形成されている。筐体１０は、導通部材４Ａを収容するための箱であり、低圧分岐箱に収容可能な大きさに形成されている。その他の構成については、発明の実施の形態１と同様である。また、この仮接続装置１Ａの使用方法は、幹線ケーブル６を幹線ケーブル挿入穴２Ａに挿入し、引込線ケーブル７を引込線ケーブル挿入穴３Ａに挿入して使用する点を除き、発明の実施の形態１と同様である。
【００３０】
このように、この仮接続装置１Ａによれば、幹線ケーブル６を挿入する幹線ケーブル挿入穴２Ａと、引込線ケーブル７を挿入する引込線ケーブル挿入穴３Ａとが筐体１０に覆われて設けられている。これにより、実施の形態１のような圧縮端子板２及び圧縮端子板３が接続されていない場合や損傷した場合であっても、幹線ケーブル６と５本の引込線ケーブル７とを接続することが可能になる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、幹線ケーブル６と５本の引込線ケーブル７とを接続する構成としたが、５本の引込線ケーブル７に限られず、さらに多くの引込線ケーブル７と接続する構成にしても良い。
【００３２】
また、上述した実施の形態では、仮接続装置１及び仮接続装置１Ａを上から見たときに右下に幹線ケーブル６を、他の箇所に引込線ケーブル７を接続する構成としたが、この接続位置に限られず、他の接続位置にしても良い。
【符号の説明】
【００３３】
１，１Ａ                      仮接続装置
２                            圧縮端子板（第１の圧縮端子板）
２Ａ                          幹線ケーブル挿入穴（第１の接続孔）
３                            圧縮端子板（第２の圧縮端子板）
３Ａ                          引込線ケーブル挿入穴（第２の接続孔）
４，４Ａ                      導通部材
５                            ネジ端子
６                            幹線ケーブル
７                            引込線ケーブル
１０                          筐体
２１                          幹線ケーブル接続部
２２                          端子接続部
２３                          端子孔
２４                          挿入穴
３１                          引込線ケーブル接続部
３２                          端子接続部
３３                          端子孔
３４                          挿入穴
４１                          基台部
４２                          端子部
【図１】
0006638403.tif 000002
【図２】
0006638403.tif 000003
【図３】
0006638403.tif 000004
【図４】
0006638403.tif 000005
【図５】
0006638403.tif 000006